(57)【要約】【課題】記録媒体の搬送面から浮いている一端部と他の部分とで温度差が生じるのを抑制できる画像形成装置を提供する。【解決手段】吐出ヘッドで液滴が吐出された前記記録媒体の一端部を把持して搬送面から浮かせた状態で搬送する搬送手段と、前記搬送手段で搬送される前記記録媒体へ光を照射して加熱乾燥する光照射手段と、前記搬送手段に設けられ、前記搬送面から浮かせた前記記録媒体の一端部を覆って前記光照射手段からの光を減光する減光部材と、を有する。【選択図】図４
2014124934.tif 000002
【特許請求の範囲】
【請求項１】
吐出ヘッドで液滴が吐出された記録媒体の一端部を把持して搬送面から浮かせた状態で搬送する搬送手段と、
前記搬送手段で搬送される前記記録媒体へ光を照射して加熱乾燥する光照射手段と、
前記搬送手段に設けられ、前記搬送面から浮かせた前記記録媒体の一端部を覆って前記光照射手段からの光を減光する減光部材と、
を有する画像形成装置。
【請求項２】
前記光照射手段は、前記記録媒体へ赤外光を照射する赤外線ヒータであり、
前記減光部材は、赤外光をカットするＩＲカットフィルターである請求項１に記載の画像形成装置。
【請求項３】
前記減光部材は、複数の貫通孔が形成された多孔板である請求項１又は２に記載の画像形成装置。
【請求項４】
前記多孔板の前記貫通孔は、前記記録媒体の搬送方向の下流側から上流側に向けて前記多孔板の開口率が大きくなるように形成されている請求項３に記載の画像形成装置。
【請求項５】
前記搬送手段は、一対の回転体に巻き掛けられた無端状のチェーンと、
前記チェーンに設けられ、前記記録媒体の一端部を把持して前記チェーンの外周側で前記記録媒体を搬送する把持爪を備えたグリッパと、
を有し、
前記減光部材は、前記グリッパに設けられ、前記チェーンの内周側に配置されている請求項１〜４の何れか１項に記載の画像形成装置。
【請求項６】
前記減光部材は、前記記録媒体を覆う搬送方向の長さを調節可能に前記グリッパに取り付けられている請求項５に記載の画像形成装置。
【請求項７】
前記搬送面は、前記記録媒体を吸引する吸引孔を備えたガイドプレートで構成されている請求項１〜６の何れか１項に記載の画像形成装置。
【請求項８】
前記ガイドプレートの内部に、冷却液が流れる冷却流路を備えた請求項７に記載の画像形成装置。
【請求項９】
前記吐出ヘッドが吐出する液滴は、紫外光を照射して硬化させるＵＶインクであり、
前記ＵＶインクが吐出された前記記録媒体へ紫外光を照射するＵＶ照射手段を備え、
前記減光部材は、紫外光を透過する材質で形成されている請求項１〜８の何れか１項に記載の画像形成装置。
【請求項１０】
前記搬送面の温度を検出する温度検出センサを備え、
前記光照射手段は、前記温度検出センサが検出した前記搬送面の温度が閾値より高くなれば前記記録媒体へ照射する光の照射強度を弱くし、前記温度検出センサが検出した温度が閾値より低くなれば前記記録媒体へ照射する光の照射強度を強くする請求項１〜９の何れか１項に記載の画像形成装置。
【発明の詳細な説明】
【技術分野】
【０００１】
本発明は、光を照射して記録媒体を加熱乾燥する画像形成装置に関する。
【背景技術】
【０００２】
インク（液滴）が吐出された記録媒体の描画面へ赤外線ヒータ（光照射手段）から赤外光を照射して記録媒体を加熱乾燥するインクジェット記録装置（画像形成装置）がある（例えば、特許文献１）。このようなインクジェット記録装置において、記録媒体の一端部を把持して搬送面から浮かせ、その他の部分を搬送面に接触させて引き摺りながら搬送するチェーングリッパを備えたものがある。
【先行技術文献】
【特許文献】
【０００３】
【特許文献１】特開２０１０−１６４７８７号公報
【発明の概要】
【発明が解決しようとする課題】
【０００４】
しかしながら、チェーングリッパで搬送される記録媒体へ赤外線ヒータから赤外光を照射すると、記録媒体の一端部は搬送手段に把持されて搬送面から浮いているので、搬送面を伝って熱が逃げずに他の部分より温度が上昇する。その結果、記録媒体の一端部と他の部分とで温度差が生じて光沢ムラが発生する虞がある。
【０００５】
本発明は上記事実を考慮し、記録媒体の搬送面から浮いている一端部と他の部分とで温度差が生じるのを抑制できる画像形成装置を提供することを課題とする。
【課題を解決するための手段】
【０００６】
本発明の第１態様に係る画像形成装置は、吐出ヘッドで液滴が吐出された記録媒体の一端部を把持して搬送面から浮かせた状態で搬送する搬送手段と、前記搬送手段で搬送される前記記録媒体へ光を照射して加熱乾燥する光照射手段と、前記搬送手段に設けられ、前記搬送面から浮かせた前記記録媒体の一端部を覆って前記光照射手段からの光を減光する減光部材と、を有する。
【０００７】
上記の発明によれば、吐出ヘッドで液滴が吐出された記録媒体は、搬送手段に一端部が把持されて搬送面から浮いた状態となる。また、記録媒体の一端部を除いた他の部分は、搬送面に接触しており、搬送手段に引き摺られながら搬送される。ここで、搬送手段で搬送される記録媒体に対して光照射手段から赤外光が照射されると、赤外光の輻射熱により記録媒体が加熱される。このとき、記録媒体の搬送面に接触している部分は、搬送面を伝って記録媒体の熱が逃げる。一方、記録媒体の一端部は、搬送面から浮いているので熱が逃げないが、減光部材に覆われているので、光照射手段から照射された光が減光されて他の部分より加熱されにくくなっている。これにより、記録媒体の一端部と他の部分との間に温度差が生じるのを抑制できる。
【０００８】
本発明の第２態様に係る画像形成装置は、第１態様において、前記光照射手段は、前記記録媒体へ赤外光を照射する赤外線ヒータであり、前記減光部材は、赤外光をカットするＩＲカットフィルターである。
【０００９】
上記の発明によれば、ＩＲカットフィルターが赤外光（ＩＲ：ｉｎｆｒａｒｅｄ  ｒａｙｓ）をカットして記録媒体の一端部へ照射される赤外光を減光するので、記録媒体の一端部が加熱されにくくなる。なお、ここでいうカットとは、赤外光を完全に遮蔽するものに限らず、赤外光の一部だけを遮蔽するものも含む。
【００１０】
本発明の第３態様に係る画像形成装置は、第１態様又は第２態様において、前記減光部材は、複数の貫通孔が形成された多孔板である。
【００１１】
上記の発明によれば、多孔板に形成された貫通孔の大きさや数を変更することで、記録媒体の一端部へ照射される赤外光の光量を変更できる。
【００１２】
本発明の第４態様に係る画像形成装置は、第３態様において、前記多孔板の前記貫通孔は、前記記録媒体の搬送方向の下流側から上流側に向けて前記多孔板の開口率が大きくなるように形成されている。
【００１３】
上記の発明によれば、搬送面から浮いている記録媒体の一端部のうち、搬送方向上流側の部分は、搬送面からあまり浮いておらず、熱が逃げやすいので、この搬送方向上流側の部分を覆う多孔板の開口率を大きくすることで、搬送方向下流側の部分より多くの光を照射させて温度差が生じるのを抑制できる。
【００１４】
本発明の第５態様に係る画像形成装置は、第１態様〜第４態様の何れか１つの態様において、前記搬送手段は、一対の回転体に巻き掛けられた無端状のチェーンと、前記チェーンに設けられ、前記記録媒体の一端部を把持して前記チェーンの外周側で前記記録媒体を搬送する把持爪を備えたグリッパと、を有し、前記減光部材は、前記グリッパに設けられ、前記チェーンの内周側に配置されている。
【００１５】
上記の発明によれば、グリッパに設けられた把持爪が記録媒体の一端部を把持してチェーンの外周側で記録媒体を搬送する。また、グリッパに設けられた減光部材は、チェーンの内周側に配置されている。これにより、減光部材が記録媒体に干渉して搬送の妨げとなるのを抑制できる。
【００１６】
本発明の第６態様に係る画像形成装置は、第５態様において、前記減光部材は、前記記録媒体を覆う搬送方向の長さを調節可能に前記グリッパに取り付けられている。
【００１７】
上記の発明によれば、光照射手段から照射された光が減光される記録媒体の搬送方向の長さを調節できる。
【００１８】
本発明の第７態様に係る画像形成装置は、第１態様〜第６態様の何れか１つの態様において、前記搬送面は、前記記録媒体を吸引する吸引孔を備えたガイドプレートで構成されている。
【００１９】
上記の発明によれば、搬送される記録媒体に張力を作用させ、記録媒体にシワが発生するのを抑制できる。また、シワで陰となる部分を無くすことで光照射手段からの光を均等に照射できる。
【００２０】
本発明の第８態様に係る画像形成装置は、第７態様において、前記ガイドプレートの内部に、冷却液が流れる冷却流路を備えている。
【００２１】
上記の発明によれば、光照射手段から照射された光でガイドプレートの表面が加熱されて温度が上昇するのを抑制できる。
【００２２】
本発明の第９態様に係る画像形成装置は、第１態様〜第８態様の何れか１つの態様において、前記吐出ヘッドが吐出する液滴は、紫外光を照射して硬化させるＵＶインクであり、前記ＵＶインクが吐出された前記記録媒体へ紫外光を照射するＵＶ照射手段を備え、前記減光部材は、紫外光を透過する材質で形成されている。
【００２３】
上記の発明によれば、記録媒体の一端部を減光部材で覆っていてもＵＶ照射手段でＵＶインクを硬化できる。なお、ここでいう透過とは、紫外光を全て透過するものに限らず、紫外光の一部を透過するものも含む。
【００２４】
本発明の第１０態様に係る画像形成装置は、第１態様〜第９態様の何れか１つの態様において、前記搬送面の温度を検出する温度検出センサを備え、前記光照射手段は、前記温度検出センサが検出した前記搬送面の温度が閾値より高くなれば前記記録媒体へ照射する光の照射強度を弱くし、前記温度検出センサが検出した温度が閾値より低くなれば前記記録媒体へ照射する光の照射強度を強くする。
【００２５】
上記の発明によれば、搬送面に接している記録媒体の他端部が過加熱されたり、あるいは加熱不足となるのを抑制できる。
【発明の効果】
【００２６】
本発明は上記構成としたので、記録媒体の搬送面から浮いている一端部と他の部分とで温度差が生じるのを抑制できる。
【図面の簡単な説明】
【００２７】
【図１】本発明の第１実施形態に係る画像形成装置を示す正面図である。
【図２】本発明の第１実施形態に係る加熱乾燥処理部を示す断面図である。
【図３】本発明の第１実施形態に係る第１ガイドプレートを示す平面図である。
【図４】（Ａ）は、本発明の第１実施形態に係るグリッパを示す斜視図であり、（Ｂ）は、図４（Ａ）のＢ−Ｂ線断面図である。
【図５】本発明の第１実施形態に係るＩＲカットフィルターへ赤外光が照射された状態を示す要部拡大断面図である。
【図６】本発明の第２実施形態に係るグリッパを示す斜視図である。
【図７】本発明の第２実施形態に係る多孔板へ赤外光が照射された状態を示す要部拡大断面図である。
【図８】本発明の第３実施形態に係る加熱乾燥処理部を示す断面図である。
【図９】本発明の第３実施形態の変形例に係るグリッパを示す斜視図である。
【発明を実施するための形態】
【００２８】
＜第１実施形態＞
以下、図面を参照して本発明に係る実施形態の一例について説明する。
図１は、本発明に係る画像形成装置としてのインクジェット記録装置の第１実施形態を示す全体構成図である。
【００２９】
（全体構成）
このインクジェット記録装置１０は、枚葉の用紙（記録媒体）Ｐに水性ＵＶインク（水性媒体を使用したＵＶ硬化型のインク）を用いてインクジェット方式で画像を記録するインクジェット記録装置であり、主として、用紙Ｐを給紙する給紙部１２と、給紙部１２から給紙された用紙Ｐの表面（描画面）に所定の処理液を付与する処理液付与部１４と、処理液付与部１４で処理液が付与された用紙Ｐの乾燥処理を行う処理液乾燥処理部１６と、処理液乾燥処理部１６で乾燥処理が施された用紙Ｐの表面に水性ＵＶインクを用いてインクジェット方式で画像を記録する画像記録部１８と、画像記録部１８で画像が記録された用紙Ｐの乾燥処理を行う加熱乾燥処理部２０と、加熱乾燥処理部２０で乾燥処理された用紙Ｐに紫外光（ＵＶ光）を照射して画像を定着させるＵＶ照射処理部２２と、ＵＶ照射処理部２２でＵＶ照射処理された用紙Ｐを排紙する排紙部２４と、を備えている。
【００３０】
（給紙部）
給紙部１２は、給紙台３０に積載された用紙Ｐを１枚ずつ処理液付与部１４に給紙する。給紙手段の一例としての給紙部１２は、主として、給紙台３０と、サッカー装置３２と、給紙ローラ対３４と、フィーダボード３６と、前当て３８と、給紙ドラム４０とで構成されている。
【００３１】
用紙Ｐは、多数枚が積層された束の状態で給紙台３０に載置される。給紙台３０は、図示しない給紙台昇降装置によって昇降可能に設けられる。給紙台昇降装置は、給紙台３０に積載された用紙Ｐの増減に連動して、その駆動が制御され、束の最上位に位置する用紙Ｐが常に一定の高さに位置するように、給紙台３０を昇降させる。
【００３２】
記録媒体としての用紙Ｐは、特に限定されないが、一般のオフセット印刷などで使用される汎用の印刷用紙（いわゆる上質紙、コート紙、アート紙などのセルロースを主体とする用紙）を用いることができる。本例では塗工紙が用いられる。塗工紙は、一般に表面処理されていない上質紙や中性紙等の表面にコート材を塗布してコート層を設けたものである。具体的には、アート紙、コート紙、軽量コート紙、微塗工紙などが好適に用いられる。
【００３３】
サッカー装置３２は、給紙台３０に積載されている用紙Ｐを上から順に１枚ずつ取り上げて、給紙ローラ対３４に給紙する。サッカー装置３２は、昇降自在かつ揺動自在に設けられたサクションフット３２Ａを備え、このサクションフット３２Ａによって用紙Ｐの上面を吸着保持して、用紙Ｐを給紙台３０から給紙ローラ対３４に移送する。この際、サクションフット３２Ａは、束の最上位に位置する用紙Ｐの先端側の上面を吸着保持して、用紙Ｐを引き上げ、引き上げた用紙Ｐの先端を給紙ローラ対３４を構成する一対のローラ３４Ａ、３４Ｂの間に挿入する。
【００３４】
給紙ローラ対３４は、互いに押圧当接された上下一対のローラ３４Ａ、３４Ｂで構成される。上下一対のローラ３４Ａ、３４Ｂは、一方が駆動ローラ（ローラ３４Ａ）、他方が従動ローラ（ローラ３４Ｂ）とされ、駆動ローラ（ローラ３４Ａ）は、図示しないモータに駆動されて回転する。モータは、用紙Ｐの給紙に連動して駆動され、サッカー装置３２から用紙Ｐが給紙されると、そのタイミングに合わせて駆動ローラ（ローラ３４Ａ）を回転させる。上下一対のローラ３４Ａ、３４Ｂの間に挿入された用紙Ｐは、このローラ３４Ａ、３４Ｂにニップされて、ローラ３４Ａ、３４Ｂの回転方向（フィーダボード３６の設置方向）に送り出される。
【００３５】
フィーダボード３６は、用紙幅に対応して形成され、給紙ローラ対３４から送り出された用紙Ｐを受けて、前当て３８までガイドする。このフィーダボード３６は、下方に向けて傾斜して設置され、その搬送面の上に載置された用紙Ｐを搬送面に沿って滑らせて前当て３８までガイドする。
【００３６】
フィーダボード３６には、用紙Ｐを搬送するためのテープフィーダ３６Ａが幅方向に間隔をおいて複数設置される。テープフィーダ３６Ａは、無端状に形成され、図示しないモータに駆動されて回転する。フィーダボード３６の搬送面に載置された用紙Ｐは、このテープフィーダ３６Ａによって送りが与えられて、フィーダボード３６の上を搬送される。
【００３７】
また、フィーダボード３６の上には、リテーナ３６Ｂとコロ３６Ｃとが設置される。
リテーナ３６Ｂは、用紙Ｐの搬送面に沿って前後に縦列して複数配置される（本例では２つ）。このリテーナ３６Ｂは、用紙幅に対応した幅を有する板バネで構成され、搬送面に押圧当接されて設置される。テープフィーダ３６Ａによってフィーダボード３６の上を搬送される用紙Ｐは、このリテーナ３６Ｂを通過することにより、凹凸が矯正される。なお、リテーナ３６Ｂは、フィーダボード３６との間に用紙Ｐを導入しやすくするため、後端部がカールして形成される。
【００３８】
コロ３６Ｃは、前後のリテーナ３６Ｂの間に配設される。このコロ３６Ｃは、用紙Ｐの搬送面に押圧当接されて設置される。前後のリテーナ３６Ｂの間を搬送される用紙Ｐは、このコロ３６Ｃによって上面が抑えられながら搬送される。
【００３９】
前当て３８は、用紙Ｐの姿勢を矯正する。この前当て３８は、板状に形成され、用紙Ｐの搬送方向と直交して配置される。また、図示しないモータに駆動されて、揺動可能に設けられる。フィーダボード３６の上を搬送された用紙Ｐは、その先端が前当て３８に当接されて、姿勢が矯正される（いわゆる、スキュー防止）。前当て３８は、給紙ドラム４０への用紙の給紙に連動して揺動し、姿勢を矯正した用紙Ｐを給紙ドラム４０に受け渡す。
【００４０】
給紙ドラム４０は、前当て３８を介してフィーダボード３６から給紙される用紙Ｐを受け取り、処理液付与部１４へと搬送する。給紙ドラム４０は、円筒状に形成され、図示しないモータに駆動されて回転する。給紙ドラム４０の外周面上には、グリッパ４０Ａが備えられ、このグリッパ４０Ａによって用紙Ｐの先端が把持される。給紙ドラム４０は、グリッパ４０Ａによって用紙Ｐの先端を把持して回転することにより、用紙Ｐを周面に巻き掛けながら、処理液付与部１４へと用紙Ｐを搬送する。
【００４１】
給紙部１２は、以上のように構成される。給紙台３０の上に積載された用紙Ｐは、サッカー装置３２によって上から順に１枚ずつ引き上げられて、給紙ローラ対３４に給紙される。給紙ローラ対３４に給紙された用紙Ｐは、その給紙ローラ対３４を構成する上下一対のローラ３４Ａ、３４Ｂによって前方に送り出され、フィーダボード３６の上に載置される。フィーダボード３６の上に載置された用紙Ｐは、フィーダボード３６の搬送面に設けられたテープフィーダ３６Ａによって搬送される。そして、その搬送過程でリテーナ３６Ｂによってフィーダボード３６の搬送面に押し付けられ、凹凸が矯正される。フィーダボード３６によって搬送された用紙Ｐは、先端が前当て３８に当接されることにより、傾きが矯正され、その後、給紙ドラム４０に受け渡される。そして、その給紙ドラム４０によって処理液付与部１４へと搬送される。
【００４２】
（処理液付与部）
処理液付与部１４は、用紙Ｐの表面（描画面）に所定の処理液を付与する。この処理液付与部１４は、主として、用紙Ｐを搬送する処理液付与ドラム４２と、処理液付与ドラム４２によって搬送される用紙Ｐの印刷面に所定の処理液を付与する処理液付与ユニット４４とで構成されている。
【００４３】
処理液付与ドラム４２は、給紙部１２の給紙ドラム４０から用紙Ｐを受け取り、処理液乾燥処理部１６へと用紙Ｐを搬送する。処理液付与ドラム４２は、円筒状に形成され、図示しないモータに駆動されて回転する。処理液付与ドラム４２の外周面上には、グリッパ４２Ａが備えられ、このグリッパ４２Ａによって用紙Ｐの先端が把持される。処理液付与ドラム４２は、このグリッパ４２Ａによって用紙Ｐの先端を把持して回転することにより、用紙Ｐを周面に巻き掛けながら、処理液乾燥処理部１６へと用紙Ｐを搬送する（１回転で１枚の用紙Ｐを搬送する。）。処理液付与ドラム４２と給紙ドラム４０は、互いの用紙Ｐの受け取りと受け渡しのタイミングが合うように、回転が制御される。すなわち、同じ周速度となるように駆動されるとともに、互いのグリッパの位置が合うように駆動される。
【００４４】
処理液付与ユニット４４は、処理液付与ドラム４２によって搬送される用紙Ｐの表面に処理液をローラ塗布する。この処理液付与ユニット４４は、主として、用紙Ｐに処理液を塗布する塗布ローラ４４Ａと、処理液が貯留される処理液槽４４Ｂと、処理液槽４４Ｂに貯留された処理液を汲み上げて、塗布ローラ４４Ａに供給する汲み上げローラ４４Ｃとで構成される。汲み上げローラ４４Ｃは、塗布ローラ４４Ａに押圧当接して設置されるとともに、一部を処理液槽４４Ｂに貯留された処理液に浸漬させて設置される。この汲み上げローラ４４Ｃは、処理液を計量して汲み上げ、塗布ローラ４４Ａの周面に一定の厚さで処理液を付与する。塗布ローラ４４Ａは、用紙幅に対応して設けられ、用紙Ｐに押圧当接されて、その周面に付与された処理液を用紙Ｐに塗布する。塗布ローラ４４Ａは、図示しない当接離間機構に駆動されて、処理液付与ドラム４２の周面に当接する当接位置と、処理液付与ドラム４２の周面から離間する離間位置との間を移動する。当接離間機構は、用紙Ｐの通過タイミングに合わせて、塗布ローラ４４Ａを移動させ、処理液付与ドラム４２によって搬送される用紙Ｐの表面に処理液を塗布する。
【００４５】
なお、本例では、処理液をローラ塗布する構成としているが、処理液を付与する方法は、これに限定されるものではない。この他、インクジェットヘッドを用いて付与する構成やスプレーにより付与する構成を採用することもできる。
【００４６】
処理液付与部１４は、以上のように構成される。給紙部１２の給紙ドラム４０から受け渡された用紙Ｐは、処理液付与ドラム４２で受け取られる。処理液付与ドラム４２は、用紙Ｐの先端をグリッパ４２Ａで把持して、回転することにより、用紙Ｐを周面に巻き掛けて搬送する。この搬送過程で塗布ローラ４４Ａが用紙Ｐの表面に押圧当接され、用紙Ｐの表面に処理液が塗布される。
【００４７】
ここで、この用紙Ｐの表面に塗布する処理液は、後段の画像記録部１８で用紙Ｐに打滴する水性ＵＶインク中の色材を凝集させる機能を有する処理液が塗布される。このような処理液を用紙Ｐの表面に塗布して水性ＵＶインクを打滴することにより、汎用の印刷用紙を用いた場合であっても、着弾干渉等を起こすことなく、高品位な印刷を行うことができる。
【００４８】
（処理液乾燥処理部）
処理液乾燥処理部１６は、表面に処理液が付与された用紙Ｐを乾燥処理する。この処理液乾燥処理部１６は、主として、用紙Ｐを搬送する処理液乾燥処理ドラム４６と、用紙搬送ガイド４８と、処理液乾燥処理ドラム４６によって搬送される用紙Ｐの印刷面に熱風を吹き当てて乾燥させる処理液乾燥処理ユニット５０とで構成されている。
【００４９】
処理液乾燥処理ドラム４６は、処理液付与部１４の処理液付与ドラム４２から用紙Ｐを受け取り、画像記録部１８へと用紙Ｐを搬送する。処理液乾燥処理ドラム４６は、円筒状に組んだ枠体で構成され、図示しないモータに駆動されて回転する。処理液乾燥処理ドラム４６の外周面上には、グリッパ４６Ａが備えられ、このグリッパ４６Ａによって用紙Ｐの先端が把持される。処理液乾燥処理ドラム４６は、このグリッパ４６Ａによって用紙Ｐの先端を把持して回転することにより、画像記録部１８に用紙Ｐを搬送する。なお、本例の処理液乾燥処理ドラム４６は、外周面上の２カ所にグリッパ４２Ａが配設され、１回の回転で２枚の用紙Ｐが搬送できるように構成されている。処理液乾燥処理ドラム４６と処理液付与ドラム４２は、互いの用紙Ｐの受け取りと受け渡しのタイミングが合うように、回転が制御される。すなわち、同じ周速度となるように駆動されるとともに、互いのグリッパの位置が合うように駆動される。
【００５０】
用紙搬送ガイド４８は、処理液乾燥処理ドラム４６による用紙Ｐの搬送経路に沿って配設され、用紙Ｐの搬送をガイドする。
【００５１】
処理液乾燥処理ユニット５０は、処理液乾燥処理ドラム４６の内側に設置され、処理液乾燥処理ドラム４６によって搬送される用紙Ｐの表面に向けて熱風を吹き当てて乾燥処理する。本例では、２台の処理液乾燥処理ユニット５０が、処理液乾燥処理ドラム内に配設され、処理液乾燥処理ドラム４６によって搬送される用紙Ｐの表面に向けて熱風を吹き当てる構成とされている。
【００５２】
処理液乾燥処理部１６は、以上のように構成される。処理液付与部１４の処理液付与ドラム４２から受け渡された用紙Ｐは、処理液乾燥処理ドラム４６で受け取られる。処理液乾燥処理ドラム４６は、用紙Ｐの先端をグリッパ４６Ａで把持して、回転することにより、用紙Ｐを搬送する。この際、処理液乾燥処理ドラム４６は、用紙Ｐの表面（処理液が塗布された面）を内側に向けて搬送する。用紙Ｐは、処理液乾燥処理ドラム４６によって搬送される過程で処理液乾燥処理ドラム４６の内側に設置された処理液乾燥処理ユニット５０から熱風が表面に吹き当てられて、乾燥処理される。すなわち、処理液中の溶媒成分が除去される。これにより、用紙Ｐの表面にインク凝集層が形成される。
【００５３】
（画像記録部）
画像記録部１８は、用紙Ｐの印刷面にＣ、Ｍ、Ｙ、Ｋの各色のインク（水性ＵＶインク）の液滴を打滴して、用紙Ｐの印刷面にカラー画像を描画する。この画像記録部１８は、主として、用紙Ｐを搬送する画像記録ドラム５２と、画像記録ドラム５２によって搬送される用紙Ｐを押圧して、用紙Ｐを画像記録ドラム５２の周面に密着させる用紙押さえローラ５４と、用紙ＰにＣ、Ｍ、Ｙ、Ｋの各色のインク滴を吐出する吐出ヘッドの一例としてのインクジェットヘッド５６Ｃ、５６Ｍ、５６Ｙ、５６Ｋと、用紙Ｐに記録された画像を読み取るインラインセンサ５８と、インクミストを捕捉するミストフィルタ６０と、ドラム冷却ユニット６２とで構成されている。
【００５４】
画像記録ドラム５２は、処理液乾燥処理部１６の処理液乾燥処理ドラム４６から用紙Ｐを受け取り、加熱乾燥処理部２０へと用紙Ｐを搬送する。画像記録ドラム５２は、円筒状に形成され、図示しないモータに駆動されて回転する。画像記録ドラム５２の外周面上には、グリッパ５２Ａが備えられ、このグリッパ５２Ａによって用紙Ｐの先端が把持される。画像記録ドラム５２は、このグリッパ５２Ａによって用紙Ｐの先端を把持して回転することにより、用紙Ｐを周面に巻き掛けながら、加熱乾燥処理部２０へと用紙Ｐを搬送する。また、画像記録ドラム５２は、その周面に多数の吸引孔（図示せず）が所定のパターンで形成される。画像記録ドラム５２の周面に巻き掛けられた用紙Ｐは、この吸引孔から吸引されることにより、画像記録ドラム５２の周面に吸着保持されながら搬送される。これにより、高い平滑性をもって用紙Ｐを搬送することができる。
【００５５】
なお、この吸引孔からの吸引は一定の範囲でのみ作用し、所定の吸引開始位置から所定の吸引終了位置との間で作用する。吸引開始位置は、用紙押さえローラ５４の設置位置に設定され、吸引終了位置は、インラインセンサ５８の設置位置の下流側に設定される（たとえば、加熱乾燥処理部２０に用紙を受け渡す位置に設定される。）。すなわち、少なくともインクジェットヘッド５６Ｃ、５６Ｍ、５６Ｙ、５６Ｋの設置位置（画像記録位置）とインラインセンサ５８の設置位置（画像読取位置）では、用紙Ｐが画像記録ドラム５２の周面に吸着保持されるように設定される。
【００５６】
なお、用紙Ｐを画像記録ドラム５２の周面に吸着保持させる機構は、上記の負圧による吸着方法に限らず、静電吸着による方法を採用することもできる。
【００５７】
また、本例の画像記録ドラム５２は、外周面上の２カ所にグリッパ５２Ａが配設され、１回の回転で２枚の用紙Ｐが搬送できるように構成されている。画像記録ドラム５２と処理液乾燥処理ドラム４６は、互いの用紙Ｐの受け取りと受け渡しのタイミングが合うように、回転が制御される。すなわち、同じ周速度となるように駆動されるとともに、互いのグリッパの位置が合うように駆動される。
【００５８】
用紙押さえローラ５４は、画像記録ドラム５２の用紙受取位置（処理液乾燥処理ドラム４６から用紙Ｐを受け取る位置）の近傍に配設される。この用紙押さえローラ５４は、ゴムローラで構成され、画像記録ドラム５２の周面に押圧当接させて設置される。処理液乾燥処理ドラム４６から画像記録ドラム５２に受け渡された用紙Ｐは、この用紙押さえローラ５４を通過することによりニップされ、画像記録ドラム５２の周面に密着させられる。
【００５９】
４台のインクジェットヘッド５６Ｃ、５６Ｍ、５６Ｙ、５６Ｋは、画像記録ドラム５２による用紙Ｐの搬送経路に沿って一定の間隔をもって配置される。このインクジェットヘッド５６Ｃ、５６Ｍ、５６Ｙ、５６Ｋは、用紙幅に対応したラインヘッドで構成され、ノズル面が画像記録ドラム５２の周面に対向するように配置される。各インクジェットヘッド５６Ｃ、５６Ｍ、５６Ｙ、５６Ｋは、ノズル面に形成されたノズル列から、画像記録ドラム５２に向けてインクの液滴を吐出することにより、画像記録ドラム５２によって搬送される用紙Ｐに画像を記録する。
【００６０】
なお、上記のように、各インクジェットヘッド５６Ｃ、５６Ｍ、５６Ｙ、５６Ｋから吐出させるインクは、水性ＵＶインクが用いられる。水性ＵＶインクは、打滴後に紫外光を照射することにより、硬化させることができる。
【００６１】
インラインセンサ５８は、画像記録ドラム５２による用紙Ｐの搬送方向に対して、最後尾のインクジェットヘッド５６Ｋの下流側に設置され、インクジェットヘッド５６Ｃ、５６Ｍ、５６Ｙ、５６Ｋで記録された画像を読み取る。このインラインセンサ５８は、たとえば、ラインスキャナで構成され、画像記録ドラム５２によって搬送される用紙Ｐからインクジェットヘッド５６Ｃ、５６Ｍ、５６Ｙ、５６Ｋによって記録された画像を読み取る。
【００６２】
なお、インラインセンサ５８の下流側には、インラインセンサ５８に近接して接触防止板５９が設置される。この接触防止板５９は、搬送の不具合等によって用紙Ｐに浮きが生じた場合に、用紙Ｐがインラインセンサ５８に接触するのを防止する。
【００６３】
ミストフィルタ６０は、最後尾のインクジェットヘッド５６Ｋとインラインセンサ５８との間に配設され、画像記録ドラム５２の周辺の空気を吸引してインクミストを捕捉する。このように、画像記録ドラム５２の周辺の空気を吸引してインクミストを捕捉することにより、インラインセンサ５８へのインクミストの進入を防止でき、読み取り不良等の発生を防止できる。
【００６４】
ドラム冷却ユニット６２は、画像記録ドラム５２に冷風を吹き当てて、画像記録ドラム５２を冷却する。このドラム冷却ユニット６２は、主として、エアコン（図示せず）と、そのエアコンから供給される冷気を画像記録ドラム５２の周面に吹き当てるダクト６２Ａとで構成される。ダクト６２Ａは、画像記録ドラム５２に対して、用紙Ｐの搬送領域以外の領域に冷気を吹き当てて、画像記録ドラム５２を冷却する。本例では、画像記録ドラム５２のほぼ上側半分の円弧面に沿って用紙Ｐが搬送されるので、ダクト６２Ａは、画像記録ドラム５２のほぼ下側半分の領域に冷気を吹き当てて、画像記録ドラム５２を冷却する構成とされている。具体的には、ダクト６２Ａの吹出口が、画像記録ドラム５２のほぼ下側半分を覆うように円弧状に形成され、画像記録ドラム５２のほぼ下側半分の領域に冷気が吹き当てられる構成とされている。
【００６５】
ここで、画像記録ドラム５２を冷却する温度は、インクジェットヘッド５６Ｃ、５６Ｍ、５６Ｙ、５６Ｋの温度（特にノズル面の温度）との関係で定まり、インクジェットヘッド５６Ｃ、５６Ｍ、５６Ｙ、５６Ｋの温度よりも低い温度となるように冷却される。これにより、インクジェットヘッド５６Ｃ、５６Ｍ、５６Ｙ、５６Ｋに結露が生じるのを防止することができる。すなわち、インクジェットヘッド５６Ｃ、５６Ｍ、５６Ｙ、５６Ｋよりも画像記録ドラム５２の温度を低くすることにより、画像記録ドラム側に結露を誘発することができ、インクジェットヘッド５６Ｃ、５６Ｍ、５６Ｙ、５６Ｋに生じる結露（特にノズル面に生じる結露）を防止することができる。
【００６６】
画像記録部１８は、以上のように構成される。処理液乾燥処理部１６の処理液乾燥処理ドラム４６から受け渡された用紙Ｐは、画像記録ドラム５２で受け取られる。画像記録ドラム５２は、用紙Ｐの先端をグリッパ５２Ａで把持して、回転することにより、用紙Ｐを搬送する。画像記録ドラム５２に受け渡された用紙Ｐは、まず、用紙押さえローラ５４を通過することにより、画像記録ドラム５２の周面に密着される。これと同時に画像記録ドラム５２の吸着穴から吸引されて、画像記録ドラム５２の外周面上に吸着保持される。用紙Ｐは、この状態で搬送されて、各インクジェットヘッド５６Ｃ、５６Ｍ、５６Ｙ、５６Ｋを通過する。そして、その通過時に各インクジェットヘッド５６Ｃ、５６Ｍ、５６Ｙ、５６ＫからＣ、Ｍ、Ｙ、Ｋの各色のインクの液滴が表面に打滴されて、表面にカラー画像が描画される。用紙Ｐの表面にはインク凝集層が形成されているので、フェザリングやブリーディング等を起こすことなく、高品位な画像を記録することができる。
【００６７】
インクジェットヘッド５６Ｃ、５６Ｍ、５６Ｙ、５６Ｋによって画像が記録された用紙Ｐは、次いで、インラインセンサ５８を通過する。そして、そのインラインセンサ５８の通過時に表面に記録された画像が読み取られる。この記録画像の読み取りは必要に応じて行われ、読み取られた画像から吐出不良等の検査が行われる。読み取りを行う際は、画像記録ドラム５２に吸着保持された状態で読み取りが行われるので、高精度に読み取りを行うことができる。また、画像記録直後に読み取りが行われるので、たとえば、吐出不良等の異常を直ちに検出することができ、その対応を迅速に行うことができる。これにより、無駄な記録を防止できるとともに、損紙の発生を最小限に抑えることができる。
【００６８】
この後、用紙Ｐは、吸着が解除された後、加熱乾燥処理部２０へと受け渡される。
【００６９】
（加熱乾燥処理部）
加熱乾燥処理部２０は、画像記録後の用紙Ｐを乾燥処理し、用紙Ｐの表面に残存する液体成分を除去する。加熱乾燥処理部２０は、主として、画像が記録された用紙Ｐを搬送する搬送手段の一例としてのチェーングリッパ６４と、チェーングリッパ６４によって搬送される用紙Ｐにバックテンション（張力）を作用させるバックテンション付与機構６６と、チェーングリッパ６４によって搬送される用紙Ｐへ光を照射して加熱乾燥する光照射手段の一例としての赤外線ヒータ６８とで構成されている。
【００７０】
チェーングリッパ６４は、加熱乾燥処理部２０、ＵＶ照射処理部２２、排紙部２４において共通して使用される用紙搬送機構であり、画像記録部１８から受け渡された用紙Ｐを受け取って、排紙部２４まで搬送する。
【００７１】
このチェーングリッパ６４は、主として、画像記録ドラム５２に近接して設置される回転体としての第１スプロケット６４Ａと、排紙部２４に設置される第２スプロケット６４Ｂと、第１スプロケット６４Ａと第２スプロケット６４Ｂとに巻き掛けられる無端状のチェーン６４Ｃと、チェーン６４Ｃの走行をガイドする複数のチェーンガイド（図示せず）と、チェーン６４Ｃに一定の間隔をもって取り付けられる複数のグリッパ７８とで構成される。第１スプロケット６４Ａと、第２スプロケット６４Ｂと、チェーン６４Ｃと、チェーンガイドとは、それぞれ一対で構成され、用紙Ｐの幅方向の両側に配設される。グリッパ７８は、一対で設けられるチェーン６４Ｃに掛け渡されて設置される（図４参照）。
【００７２】
第１スプロケット６４Ａは、画像記録ドラム５２から受け渡される用紙Ｐをグリッパ７８で受け取ることができるように、画像記録ドラム５２に近接して設置されている。この第１スプロケット６４Ａは、図示しない軸受に軸支されて、回転自在に設けられるとともに、図示しないモータに歯車を介して連結されている。第１スプロケット６４Ａ及び第２スプロケット６４Ｂに巻き掛けられるチェーン６４Ｃは、このモータを駆動することにより走行する。
【００７３】
第２スプロケット６４Ｂは、画像記録ドラム５２から受け取った用紙Ｐを排紙部２４で回収できるように、排紙部２４に設置される。すなわち、この第２スプロケット６４Ｂの設置位置が、チェーングリッパ６４による用紙Ｐの搬送経路の終端とされる。この第２スプロケット６４Ｂは、図示しない軸受に軸支されて、回転自在に設けられる。
【００７４】
チェーン６４Ｃは、無端状に形成され、第１スプロケット６４Ａと第２スプロケット６４Ｂとに巻き掛けられる。
【００７５】
チェーンガイドは、所定位置に配置されて、チェーン６４Ｃが所定の経路を走行するようにガイドする（＝用紙Ｐが所定の搬送経路を走行して搬送されるようにガイドする。）。本例のインクジェット記録装置１０では、第２スプロケット６４Ｂが第１スプロケット６４Ａよりも高い位置に配設されている。このため、チェーン６４Ｃが、途中で傾斜するような走行経路が形成される。具体的には、第１水平搬送経路７０Ａと、傾斜搬送経路７０Ｂと、第２水平搬送経路７０Ｃとで構成される。
【００７６】
第１水平搬送経路７０Ａは、第１スプロケット６４Ａと同じ高さに設定され、第１スプロケット６４Ａに巻き掛けられたチェーン６４Ｃが、水平に走行するように設定される。第２水平搬送経路７０Ｃは、第２スプロケット６４Ｂと同じ高さに設定され、第２スプロケット６４Ｂに巻き掛けられたチェーン６４Ｃが、水平に走行するように設定される。傾斜搬送経路７０Ｂは、第１水平搬送経路７０Ａと第２水平搬送経路７０Ｃとの間に設定され、第１水平搬送経路７０Ａと第２水平搬送経路７０Ｃとの間を結ぶように設定される。
【００７７】
チェーンガイドは、この第１水平搬送経路７０Ａと、傾斜搬送経路７０Ｂと、第２水平搬送経路７０Ｃとを形成するように配設される。具体的には、少なくとも第１水平搬送経路７０Ａと傾斜搬送経路７０Ｂとの接合ポイント、及び、傾斜搬送経路７０Ｂと第２水平搬送経路７０Ｃとの接合ポイントに配設される。
【００７８】
グリッパ７８は、チェーン６４Ｃに一定の間隔をもって複数取り付けられる。このグリッパ７８の取り付け間隔は、画像記録ドラム５２からの用紙Ｐの受け取り間隔に合わせて設定される。すなわち、画像記録ドラム５２から順次受け渡される用紙Ｐをタイミングを合わせて画像記録ドラム５２から受け取ることができるように、画像記録ドラム５２からの用紙Ｐの受け取り間隔に合わせて設定される。グリッパ７８の詳細は後述する。
【００７９】
チェーングリッパ６４は、以上のように構成される。上記のように、第１スプロケット６４Ａに接続されたモータ（図示せず）を駆動すると、チェーン６４Ｃが走行する。チェーン６４Ｃは、画像記録ドラム５２の周速度と同じ速度で走行する。また、画像記録ドラム５２から受け渡される用紙Ｐが、各グリッパ７８で受け取れるようにタイミングが合わせられる。
【００８０】
バックテンション付与機構６６は、チェーングリッパ６４によって先端を把持されながら搬送される用紙Ｐにバックテンション（張力）を付与する。このバックテンション付与機構６６は、主として、加熱乾燥処理部２０に配置される搬送面としての第１ガイドプレート７２と、ＵＶ照射処理部２２に配置される第２ガイドプレート８２と、を備えている。
【００８１】
図２に示すように、第１ガイドプレート７２は、用紙幅に対応した幅を有する中空状のボックスプレートで構成されている。第１ガイドプレート７２は、上面７２Ａに形成される多数の吸引孔２００と、第１ガイドプレート７２の中央部の下部側に配置されて多数の吸引孔２００から空気を吸引する吸引ファン２０２と、を備えている。また、第１ガイドプレート７２の下部側には、吸引ファン２０２により多数の吸引孔２００から吸引した空気を吐き出すための排気管２０４が接続されている。
図示を省略するが、第２ガイドプレート８２も同様に、用紙幅に対応した幅を有する中空状のボックスプレートで構成されており、上面に形成された多数の吸引孔と、多数の吸引孔から空気を吸引する吸引ファンと、空気を吐き出すための排気管と、を備えている。
【００８２】
第１ガイドプレート７２は、チェーングリッパ６４による用紙Ｐの搬送経路（＝チェーンの走行経路）に沿って配設され、用紙Ｐの搬送面となる。具体的には、第１水平搬送経路７０Ａを走行するチェーン６４Ｃに沿って配設され、チェーン６４Ｃから所定距離だけ離間して配設されている。また、第２ガイドプレート８２は、傾斜搬送経路７０Ｂを走行するチェーン６４Ｃに沿って配設され、チェーン６４Ｃから所定距離だけ離間して配設されている。チェーングリッパ６４によってチェーン６４Ｃの外周側で搬送される用紙Ｐは、描画面とは反対側の面が、第１ガイドプレート７２の上面及び第２ガイドプレート８２の上面に接触して、引き摺られながら搬送される。
【００８３】
第１ガイドプレート７２の上面には、多数の吸引孔２００が所定のパターンで多数形成される（図３参照）。上記のように、第１ガイドプレート７２は、中空のボックスプレートで形成されており、吸引ファン２０２は、このガイドプレート７２の中空部（内部）を吸引する。
【００８４】
第１ガイドプレート７２の吸引孔２００から空気が吸引されることにより、チェーングリッパ６４のグリッパ７８に先端部が把持された用紙Ｐの後端部が吸引孔２００に吸引される。これにより、チェーングリッパ６４によって搬送される用紙Ｐにバックテンション（張力）が付与される。第２ガイドプレート８２でも、同様にチェーングリッパ６４によって搬送される用紙Ｐの後端部が吸引孔に吸引され、グリッパ７８に先端部が把持された用紙Ｐにバックテンションが付与される。
【００８５】
上記のように、第１ガイドプレート７２は、第１水平搬送経路７０Ａを走行するチェーン６４Ｃに沿って配設され、第２ガイドプレート８２は、傾斜搬送経路７０Ｂを走行するチェーン６４Ｃに沿って配設されるので、第１水平搬送経路７０Ａと傾斜搬送経路７０Ｂとを搬送されている間、バックテンションが付与される。
【００８６】
赤外線ヒータ６８は、チェーン６４Ｃの内周側（図中上方）に設置されており、光源６８Ａと、光源６８Ａより上方に設けられ光源６８Ａの上半分を囲んで配置された反射板６８Ｂとで構成されている。本実施形態では、光源６８Ａの一例として、石英管の内部にフィラメントを備えた光源を用いているが、これに限らず、赤外光を発光できる光源であれば、構成は特定しない。
【００８７】
赤外線ヒータ６８は、第１水平搬送経路７０Ａを搬送される用紙Ｐに対して赤外光を照射し、その輻射熱で用紙Ｐを加熱乾燥する。また、赤外線ヒータ６８は、第１水平搬送経路７０Ａに沿って複数台配置されており、用紙Ｐが第１水平搬送経路７０Ａを搬送されている間、赤外線ヒータ６８が用紙Ｐへ赤外光を照射する。本実施形態では、一例として、第１水平搬送経路７０Ａに沿って５台の赤外線ヒータ６８が設けられている。また、それぞれの赤外線ヒータ６８は、図示しない制御部に接続されており、制御部からの命令で赤外線ヒータ６８の出力が変更され赤外線の照射強度を調節可能に構成されている。
【００８８】
なお、赤外線ヒータ６８の設置数は、赤外線ヒータ６８の処理能力や用紙Ｐの搬送速度（＝印刷速度）等に応じて設定される。すなわち、画像記録部１８から受け取った用紙Ｐが第１水平搬送経路７０Ａを搬送されている間に乾燥させることができる設置数に設定される。したがって、第１水平搬送経路７０Ａの長さも、この赤外線ヒータ６８の能力を考慮して設定される。
【００８９】
加熱乾燥処理部２０は、以上のように構成される。画像記録部１８の画像記録ドラム５２から受け渡された用紙Ｐは、チェーングリッパ６４で受け取られる。チェーングリッパ６４は、用紙Ｐの先端部をグリッパ７８で把持し、平面状の第１ガイドプレート７２に用紙Ｐの後端部を接触させた状態で搬送する。チェーングリッパ６４に受け渡された用紙Ｐは、まず、第１水平搬送経路７０Ａを搬送される。この第１水平搬送経路７０Ａを搬送される過程で、用紙Ｐへ赤外線ヒータ６８から赤外光が照射され、その輻射熱で加熱乾燥処理が施される。この際、用紙Ｐは、バックテンション付与機構６６によってバックテンション（張力）が付与されながら乾燥処理が施される。
【００９０】
なお、本実施形態では、赤外線ヒータ６８から赤外光を照射して用紙Ｐを加熱乾燥する構成としたが、これに限らず、赤外光以外の光を照射して用紙Ｐを加熱乾燥してもよく、例えば、遠赤外線や、紫外光（ＵＶ）などを用いて加熱乾燥してもよい。
【００９１】
（ＵＶ照射処理部）
ＵＶ照射処理部２２は、水性ＵＶインクが吐出された用紙Ｐへ紫外光を照射して、ＵＶインクで形成された画像を定着させる。このＵＶ照射処理部２２は、図１に示すように、主として、用紙Ｐを搬送するチェーングリッパ６４と、チェーングリッパ６４によって搬送される用紙Ｐにバックテンションを付与するバックテンション付与機構６６と、チェーングリッパ６４によって搬送される用紙Ｐに紫外光を照射するＵＶ照射手段の一例としてのＵＶ照射ユニット７４とで構成されている。
【００９２】
上記のように、チェーングリッパ６４とバックテンション付与機構６６は、加熱乾燥処理部２０及び排紙部２４と共に共通して使用される。
【００９３】
ＵＶ照射ユニット７４は、チェーン６４Ｃの内周側（特に傾斜搬送経路７０Ｂを構成する部位）に設置され、傾斜搬送経路７０Ｂを搬送される用紙Ｐの表面に紫外光を照射する。このＵＶ照射ユニット７４は、ＵＶランプを備え、傾斜搬送経路７０Ｂに沿って複数配設される。そして、傾斜搬送経路７０Ｂを搬送される用紙Ｐの表面に向けて紫外光を照射する。このＵＶ照射ユニット７４の設置数は、用紙Ｐの搬送速度（＝印刷速度）等に応じて設定される。すなわち、用紙Ｐが傾斜搬送経路７０Ｂを搬送されている間に照射した紫外光によって画像を定着させることができるように設定される。したがって、傾斜搬送経路７０Ｂの長さも、この用紙Ｐの搬送速度等を考慮して設定される。
【００９４】
ＵＶ照射処理部２２は、以上のように構成される。チェーングリッパ６４に搬送されて加熱乾燥処理部２０で乾燥処理が施された用紙Ｐは、傾斜搬送経路７０Ｂを搬送される。傾斜搬送経路７０Ｂでは、チェーングリッパ６４は、用紙Ｐの先端をグリッパ７８で把持して、第２ガイドプレート８２に沿わせて用紙Ｐを搬送する。この傾斜搬送経路７０Ｂを搬送される過程で用紙Ｐは、チェーングリッパ６４の内部に設置されたＵＶ照射ユニット７４によりＵＶ照射処理が施される。すなわち、ＵＶ照射ユニット７４から表面に向けて紫外光が照射される。この際、用紙Ｐは、バックテンション付与機構６６によってバックテンションが付与されながらＵＶ照射処理が施される。これにより、用紙Ｐの変形を抑えながらＵＶ照射処理を施すことができる。また、ＵＶ照射処理部２２は、傾斜搬送経路７０Ｂに設置されており、傾斜搬送経路７０Ｂには傾斜した第２ガイドプレート８２が設置されているため、たとえ、用紙Ｐが搬送途中でグリッパ７８から落下した場合であっても、第２ガイドプレート８２上を滑らせて排出させることができる。
【００９５】
（排紙部）
排紙部２４は、一連の画像記録処理が行われた用紙Ｐを回収する。この排紙部２４は、主として、ＵＶ照射された用紙Ｐを搬送するチェーングリッパ６４と、用紙Ｐを積み重ねて回収する排紙台７６とで構成されている。
【００９６】
上記のように、チェーングリッパ６４は、加熱乾燥処理部２０及びＵＶ照射処理部２２と共に共通して使用される。チェーングリッパ６４は、排紙台７６の上で用紙Ｐを開放し、排紙台７６の上に用紙Ｐをスタックさせる。
【００９７】
排紙台７６は、チェーングリッパ６４から開放された用紙Ｐを積み重ねて回収する。この排紙台７６には、用紙Ｐが整然と積み重ねられるように、用紙当て（前用紙当て、後用紙当て、横用紙当て等）が備えられる（図示せず）。
【００９８】
また、排紙台７６は、図示しない排紙台昇降装置によって昇降可能に設けられる。排紙台昇降装置は、排紙台７６にスタックされる用紙Ｐの増減に連動して、その駆動が制御され、最上位に位置する用紙Ｐが常に一定の高さに位置するように、排紙台７６を昇降させる。
【００９９】
（搬送面及びグリッパの詳細）
次に、本実施形態のインクジェット記録装置１０の主要部であるグリッパ６４及び搬送面となる第１ガイドプレート７２について、さらに詳しく説明する。
【０１００】
図３に示すように、第１ガイドプレート７２は、平面視で略矩形状に形成されており、第１ガイドプレート７２の上面７２Ａの中央部には、蓋２２０が取り付けられている。蓋２２０には、温度検出センサとしてのサーミスタ１２４が取り付けられており、サーミスタ１２４が第１ガイドプレート７２の上面７２Ａの温度を検出し、図示しない制御部へ温度データを伝達している。
【０１０１】
第１ガイドプレート７２の上面７２Ａには、多数の吸引孔２００が所定のパターンで形成されている。また、第１ガイドプレート７２の内部の上面７２Ａ側には、冷却液が流れる冷却流路２１０が設けられている。冷却流路２１０は、長尺状の１本の流路を第１ガイドプレート７２の用紙Ｐの搬送方向の一端部から他端部まで蛇行させて配置された構成とされている。
【０１０２】
この冷却流路２１０の一方の接続口２１２Ａには、流入流路としての第１流路１０４が接続されており、第１流路１０４から冷却液が接続口２１２Ａを介して冷却流路２１０に導入されるようになっている。そして、蛇行するように配置された冷却流路２１０を冷却液が流れることで、第１ガイドプレート７２の少なくとも上面７２Ａ側が冷却される。冷却流路２１０の接続口２１２Ａと反対側の端部である他方の接続口２１２Ｂには、戻り流路としての第２流路１０６が接続されており、冷却流路２１０から冷却液が接続口２１２Ｂを介して第２流路１０６に排出されるようになっている。
【０１０３】
図示を省略するが、第２ガイドプレート８２は、第１ガイドプレート７２とほぼ同じ構成であり、内部に蛇行するように冷却流路２１０が設けられており、冷却液により第２ガイドプレート８２の上面側が冷却されるようになっている。また、第１ガイドプレート７２に設けられた冷却流路２１０と、第２ガイドプレート８２に設けられた冷却流路は、チラーに接続され、循環流路とされている。
【０１０４】
なお、冷却流路２１０を流れる冷却液としては、水（清水、純水）、エチレングリコール水溶液（不凍液）等が使用される。本実施形態では、一例として清水を冷却液として使用している。
【０１０５】
第１ガイドプレート７２及び第２ガイドプレート８２と対向して配置されたチェーングリッパ６４には、図１に示すように、用紙Ｐの先端部（一端部）を把持する複数のグリッパ７８が等間隔に設けられている。図４（Ａ）に示すように、グリッパ７８は、用紙Ｐの幅方向に対向して互いに平行に巻き掛けられた一対のチェーン６４Ｃに掛け渡されており、主として、用紙Ｐの幅方向に延びた長尺状の基部７８Ａと、基部７８Ａの下端部に取り付けられた複数の把持爪７８Ｂ（図２参照）と、基部７８Ａの上面に取り付けられた減光部材としてのＩＲカットフィルター８０とで構成されている。
【０１０６】
基部７８Ａは、平面視で用紙Ｐの幅方向を長手方向とする矩形状の部材であり、基部７８Ａの長手方向の両端部がそれぞれチェーン６４Ｃに連結されている。
【０１０７】
基部７８Ａの下端部には、基部７８Ａと平行に図示しない回転軸が回転可能に軸支されており、この回転軸には、複数の把持爪７８Ｂが用紙Ｐの幅方向に間隔を空けて回転可能に取り付けられている。
【０１０８】
回転軸は、反時計回りに付勢されており、把持爪７８Ｂの先端部が基部７８Ａの下面に当接した状態となっている。また、用紙Ｐを受け渡す際には、把持爪７８Ｂを時計回りに回転し、把持爪７８Ｂと基部７８Ａとの間に隙間を開けて用紙Ｐを挿入し、再び把持爪７８Ｂを閉じることで用紙Ｐを挟持して搬送する。
【０１０９】
基部７８Ａの上面には、金属製のホルダー７９が複数のボルト８２で固定されている（本実施形態では、一例として４本のボルト８２で固定されている）。ホルダー７９は、搬送方向に延びる一対の腕部７９Ａを備えており、この腕部７９Ａには、平面視で略矩形状の石英ガラスで形成されたＩＲカットフィルター８０が保持されている。具体的には、図４（Ｂ）に示すように、腕部７９Ａの互いに向き合う面に形成されたスリット状の溝部７９ＢへＩＲカットフィルター８０がはめ込まれており、腕部７９Ａに取り付けられた抜け止め部材で抜け止めされている。ここで、ＩＲカットフィルター８０とホルダー７９とでは熱膨張係数が異なるため、溝部７９ＢとＩＲカットフィルター８０との間に隙間を設けている。また、ＩＲカットフィルター８０は、用紙Ｐの幅より広幅に形成されており、用紙Ｐの第１ガイドプレート７２から浮いた一端部を覆っている。
【０１１０】
図２に示すように、用紙Ｐの幅方向からＩＲカットフィルター８０を見ると、ＩＲカットフィルター８０の先端側（基部７８Ａから遠い側）が根本側より下方に位置するように斜めに取り付けられている。さらに、ＩＲカットフィルター８０は、チェーン６４Ｃの内周側に配置されており、画像記録ドラム５２から用紙Ｐを受け取る際にＩＲカットフィルター８０が画像記録ドラム５２に接触して搬送の邪魔にならないように構成されている。
【０１１１】
ここで、ＩＲカットフィルター８０は、赤外線ヒータ６８から照射される赤外光（ＩＲ：ｉｎｆｒａｒｅｄ  ｒａｙｓ）の一部を透過させ、残りの赤外光を吸収（遮蔽）して、用紙Ｐへ照射される赤外光を減光する。なお、赤外光の透過率（吸収率）は、赤外線ヒータ６８から照射される赤外光の強度などに応じて適宜設定される。また、ＩＲカットフィルター８０は、ＵＶ照射ユニット７４から照射された紫外光を透過する材質で形成するのが好ましい。
【０１１２】
なお、本実施形態では、ホルダー７９を基部７８Ａの上面にボルト８２で固定したが、これに限らず、他の取付構造を採用してもよい。例えば、基部７８Ａの上面にピンを立設させ、ホルダー７９にピンと係合する取付孔を形成してもよい。また、ＩＲカットフィルター８０を基部７８Ａに対して抜き差しすることで着脱可能な構成としてもよい。
【０１１３】
（作用効果）
次に、本実施形態に係るインクジェット記録装置１０の作用並びに効果について説明する。
【０１１４】
ユーザーがインクジェット記録装置１０の運転を起動させ、画像の記録を開始すると、図１に示すように、給紙部１２から用紙Ｐが給紙され、上述したように画像記録部１８で用紙ＰへＵＶインクが吐出される。ＵＶインクが吐出された用紙Ｐは、画像記録ドラム５２からチェーングリッパ６４へ受け渡される。このとき、図２に示すように、チェーングリッパ６４に取り付けられたＩＲカットフィルター８０は、チェーン６４Ｃの内周側に設けられているので、グリッパ７８が用紙Ｐを受け取る際にＩＲカットフィルター８０が邪魔になることがない。
【０１１５】
グリッパ７８の把持爪７８Ｂで用紙Ｐを把持して画像記録ドラム５２から用紙Ｐを受け取った後、グリッパ７８は第１水平搬送経路７０Ａへ用紙Ｐを搬送する。このとき、用紙Ｐの先端部は把持爪７８Ｂに把持されて第１ガイドプレート７２から浮いており、その他の部分は、第１ガイドプレート７２の上面と接触しているので、グリッパ７８は、用紙Ｐの一部を引き摺りながら搬送する。
【０１１６】
第１水平搬送経路７０Ａへ搬送された用紙Ｐは、チェーン６４Ｃの内周側に配置された赤外線ヒータ６８から赤外線が照射され、その輻射熱により加熱乾燥される。このとき、用紙Ｐの第１ガイドプレート７２に接触している部分は、吸引孔２００で吸引されているので、用紙Ｐに張力が作用し、用紙Ｐが引き伸ばされた状態となる。これにより、陰が無くなり均等に赤外光が照射され、乾燥ムラを抑制できる。また、シワの発生も抑制できる。
【０１１７】
ここで、用紙Ｐの第１ガイドプレート７２と接触している部分が赤外線ヒータ６８で加熱されて第１ガイドプレート７２の表面温度より用紙Ｐの温度が上がると、用紙Ｐに蓄積された熱が第１ガイドプレート７２へ逃がされ、用紙Ｐの温度は、第１ガイドプレート７２の温度へ近づく。このようにして、用紙Ｐが過加熱されることなく加熱乾燥処理を行うことができる。
【０１１８】
一方、用紙Ｐの搬送方向の下流側の先端部は、図５に示すように、ＩＲカットフィルター８０に覆われているので、赤外線ヒータ６８から照射される赤外光が直接照射されず、減光された赤外光が照射されている。
【０１１９】
用紙Ｐの先端部は、第１ガイドプレート７２から浮いているので、熱が逃げにくくなっているが、一方で、用紙Ｐの先端部へ照射される赤外光の光量は、他の部分へ照射される赤外光の光量よりも少ないので、用紙Ｐの先端部は加熱されにくくなっている。
【０１２０】
以上のように第１ガイドプレート７２から浮いている用紙Ｐの先端部の温度上昇を抑制することで、用紙Ｐの先端部と、それ以外の部分（第１ガイドプレート７２に接触している部分）との温度差を小さくすることができる。
【０１２１】
なお、本実施形態に係るＩＲカットフィルター８０は、図２に示すように、グリッパ７８に把持された用紙Ｐの先端部と略平行となるように斜めに取り付けられているが、これに限らず、赤外線ヒータ６８から照射される赤外光を減光できれば、例えば第１ガイドプレート７２と略平行に取り付けてもよい。
【０１２２】
また、ＩＲカットフィルター８０は、平面視で矩形状に形成されていたが、これに限らず、用紙Ｐの先端部を覆っていれば、他の形状でもよい。例えば、用紙Ｐの幅方向の中央部が他の部分より加熱され易ければ、用紙Ｐの幅方向の中央部を覆うような形状にして、用紙Ｐの幅方向の中央部へ照射される赤外光を減光してもよい。
【０１２３】
さらに、本実施形態では、ＩＲカットフィルター８０をチェーン６４Ｃの内周側に配置して画像記録ドラム５２と接触しない構成としたが、これに限らず、チェーン６４Ｃの外周側まで延ばしてもよい。この場合、例えば、ＩＲカットフィルター８０を可撓性の部材で形成すれば、グリッパ７８が画像記録ドラム５２から用紙Ｐを受け取る際に、ＩＲカットフィルター８０が撓んで画像記録ドラム５２が傷付くのを抑制できる。
【０１２４】
また、本実施形態では、赤外線ヒータ６８の出力値を一定の値としているが、これに限らず、赤外線ヒータ６８の出力値を制御してもよい。具体的には、図３に示すように、第１ガイドプレート７２に設けられたサーミスタ１２４が測定した第１ガイドプレート７２の上面７２Ａの温度に応じて、制御部が赤外線ヒータ６８の出力値を変更する構成でもよい。この場合、例えば、第１ガイドプレート７２の上面７２Ａの温度が設定値（閾値）より高くなれば、赤外線ヒータ６８の出力を下げて赤外光の照射強度を弱くすることで、用紙Ｐが過加熱されるのを抑制できる。
【０１２５】
また、サーミスタ１２４が測定した第１ガイドプレート７２の上面７２Ａの温度が設定値（閾値）より低くなれば、赤外線ヒータ６８の出力を上げて赤外光の照射強度を強くすることで、用紙Ｐが加熱不足となるのを抑制できる。
【０１２６】
＜第２実施形態＞
次に、本発明の第２実施形態に係るインクジェット記録装置９０について説明する。なお、前述した第１実施形態と同様の構成については、同一の符号を付し、その説明を省略する。
【０１２７】
図６に示すように、本実施形態に係るインクジェット記録装置９０のチェーングリッパ６４に設けられたグリッパ７８には、第１実施形態のＩＲカットフィルター８０の代わりに、複数の貫通孔９２Ａを備えた多孔板９２が基部７８Ａに取り付けられている。
【０１２８】
多孔板９２は、搬送面としての第１ガイドプレート７２に対して斜めに取り付けられており、第１ガイドプレート７２から浮いている用紙Ｐの先端部を覆っている（図２参照）。多孔板９２としては、複数の貫通孔９２Ａが均等に形成された金属製の板材や、複数の貫通孔が均等に形成された樹脂製の板材が用いられる。本実施形態では、一例として、開口率が３０％程度のパンチングメタルを用いている。
【０１２９】
また、本実施形態では、基部７８Ａから延出している部分のみに貫通孔９２Ａを形成しているが、これに限らず、多孔板９２の前面に均等に貫通孔９２Ａを形成してもよい。
【０１３０】
本実施形態に係るインクジェット記録装置９０によれば、図７に示すように、多孔板９２へ照射された赤外線ヒータ６８の赤外光のうち、貫通孔９２Ａを通過した赤外光のみが用紙Ｐへ照射され、その他の部分に照射された赤外光は、多孔板９２に遮蔽されて用紙Ｐへ照射されない。
【０１３１】
以上のように、複数の貫通孔９２Ａが形成された多孔板９２で用紙Ｐの先端部を覆うことで、用紙Ｐの先端部に照射される赤外光が減光され、用紙Ｐの先端部の温度が先端部以外の部分の温度より高くなるのを抑制できる。これにより、赤外線ヒータ６８で加熱乾燥された用紙Ｐの先端部と、それ以外の部分との温度差を小さくできる。
【０１３２】
ここで、貫通孔９２Ａの大きさや数は、多孔板９２に要求される光の減光能力に応じて適宜設定すればよい。例えば、開口率が５０％となるように貫通孔９２Ａの大きさと数を設定した場合、約半分の赤外光が貫通して用紙Ｐへ照射される。
【０１３３】
また、用紙Ｐの先端部に照射される赤外光の光量を変更する場合、多孔板９２の貫通孔９２Ａの大きさ又は数を調整するだけでよい。さらに、搬送方向に沿って開口率を変化させてもよい。この場合、例えば、第１ガイドプレート７２からあまり浮いていない部分を覆う多孔板９２の開口率を他の部分より大きくすることで、より多くの赤外光を照射させることができる。
【０１３４】
なお、本実施形態に係る多孔板９２は、特別な表面処理を施していないが、表面に光を反射させる反射膜を形成してもよい。この場合、多孔板９２へ照射された赤外光が反射膜に当たって反射され、多孔板９２自体が加熱されるのを抑制できる。
【０１３５】
また、本実施形態に係る多孔板９２は、パンチングメタル（金属）を用いたが、これに限らず、赤外光を吸収して紫外光を透過する材質で多孔板９２を形成してもよい。この場合、ＵＶ照射処理部２２でＵＶ照射ユニット７４から照射される紫外光は、多孔板９２に遮蔽されずに用紙Ｐの先端部へ照射され、ＵＶインクの定着不良が発生するのを抑制できる。その他の作用については、第１実施形態と同様である。
【０１３６】
＜第３実施形態＞
次に、本発明の第３実施形態に係るインクジェット記録装置１００について説明する。なお、前述した第１実施形態と同様の構成については、同一の符号を付し、その説明を省略する。
【０１３７】
図８に示すように、本発明に係るインクジェット記録装置１００は、チェーングリッパ６４で搬送する用紙Ｐの厚みに応じてＩＲカットフィルター１０２の長さを調節するものである。本実施形態では、一例として、変更した用紙Ｐの厚みに応じて所定の長さのＩＲカットフィルター１０２が保持されたホルダー１０１をグリッパ７８へ取り付けるように構成されている。
【０１３８】
以下、第１実施形態で使用していた用紙Ｐ（図中二点鎖線図）より厚みが厚い用紙Ｐ１を搬送して画像を形成する場合について説明する。用紙Ｐより厚みが厚い用紙Ｐ１は、用紙Ｐと比べて撓みにくくなっている。このため、用紙Ｐ１の先端部をグリッパ７８の把持爪７８Ｂで把持して第１ガイドプレート７２から持ち上げると、用紙Ｐ１の第１ガイドプレート７２の上面７２Ａから浮いている部分の搬送方向の長さは、用紙Ｐの浮いている部分の搬送方向の長さより長くなっている。
【０１３９】
従って、第１実施形態と同様のＩＲカットフィルター８０を使用して用紙Ｐ１を搬送すれば、用紙Ｐ１の第１ガイドプレート７２から浮いている部分の一部において、赤外線ヒータ６８からの赤外光が減光されずに照射され、用紙Ｐ１の浮いている部分と浮いていない部分との温度差を十分に小さくできないことがある。
【０１４０】
本実施形態では、用紙Ｐ１を搬送する場合、事前にユーザーがグリッパ７８の上面のボルト８２を緩めてホルダー７９を基部７８Ａから取り外し、ＩＲカットフィルター８０より搬送方向の長さが長いＩＲカットフィルター１０２が保持されたホルダー１０１を基部７８Ａへ取り付ける。これにより、用紙Ｐ１の第１ガイドプレート７２から浮いている部分をＩＲカットフィルター１０２で覆うことができ、厚みの厚い用紙Ｐ１であっても、第１ガイドプレート７２から浮いている先端部と浮いていない部分との温度差を小さくできる。
【０１４１】
なお、本実施形態に係るＩＲカットフィルター１０２は、搬送方向上流側の端部が屈曲して第１ガイドプレート７２と略平行に延びているが、これに限らず、屈曲部のないＩＲカットフィルター１０２を用いてもよい。この場合、ＩＲカットフィルター１０２の端部がチェーン６４Ｃの外側（図中下方）まで延びていれば、画像記録部１８から用紙Ｐ１を受け取る際に、画像記録ドラム５２とＩＲカットフィルター１０２とが接触することがある。このため、可撓性のＩＲカットフィルターを用いるのが好ましい。
【０１４２】
また、本実施形態では、ホルダー１０１を取り替えることで、用紙Ｐの第１ガイドプレート７２から浮いている部分を覆う構成としたが、これに限らず、例えば、ホルダー７９は取り外さずに、ＩＲカットフィルター８０だけを取り替えてもよい。また、図９に示すように、ホルダー１０３の取付孔を搬送方向に延びる長孔１０３Ａとし、用紙Ｐを覆う長さを変更する際は、ボルト８２を緩めてホルダー１０３を所定の長さだけスライドさせる構成としてもよい。この場合、用紙Ｐを覆う部分を微調整できる。
【０１４３】
以上、本発明の第１実施形態〜第３実施形態について説明したが、本発明は上記の実施形態に何ら限定されるものではなく、本発明の要旨を逸脱しない範囲において種々なる態様で実施し得ることは言うまでもない。例えば、ＩＲカットフィルター８０に複数の貫通孔を均等に形成して多孔板９２としてもよい。
【符号の説明】
【０１４４】
１０            インクジェット記録装置（画像形成装置）
５６Ｃ〜５６Ｋ  インクジェットヘッド（吐出ヘッド）
６４            チェーングリッパ（搬送手段）
６４Ａ          第１スプロケット（回転体）
６４Ｂ          第２スプロケット（回転体）
６４Ｃ          チェーン（搬送手段）
６８            赤外線ヒータ（光照射手段）
７２            第１ガイドプレート（搬送面）
７４            ＵＶ照射ユニット
７８            グリッパ（搬送手段）
８０            ＩＲカットフィルター（減光部材）
９２            多孔板
９２Ａ          貫通孔
１０２          ＩＲカットフィルター（減光部材）
１０３          ＩＲカットフィルター（減光部材）
１２４          サーミスタ（温度検出センサ）
２００          吸引孔
２１０          冷却流路
Ｐ              用紙（記録媒体）
【図１】
2014124934.tif 000003
【図２】
2014124934.tif 000004
【図３】
2014124934.tif 000005
【図４】
2014124934.tif 000006
【図５】
2014124934.tif 000007
【図６】
2014124934.tif 000008
【図７】
2014124934.tif 000009
【図８】
2014124934.tif 000010
【図９】
2014124934.tif 000011